(57)【特許請求の範囲】
【請求項１】
少なくとも背板の上下端部に天板と底板とを一体形成した断面略コ字状の本体の左右側面に側板を固着して形成した箱体と、該箱体の前面を施蓋する扉体とから成る計器箱において、前記本体の左右両端縁に沿って本体内側方向に本体固定片を立設し、前記側板の全周に亘って折曲した折曲部の該本体固定片と対向する端縁に側板固定片を立設し、前記本体固定片と前記側面固定片とを螺子により締め付け固定して前記箱体を形成するとともに、前記本体固定片と前記側板固定片とに機器を取り付けるための支持部材が上下方向に取り付け位置を変更可能に複数の取付孔を穿設し、左右の前記固定片間に前記支持部材を配置して前記固定片の取付孔に螺子により締め付け固定し、前記側板の下端部を前記底板の高さ位置より下方に突出するように延設したことを特徴とする計器箱。
【発明の詳細な説明】
【０００１】
【産業上の利用分野】
本発明は、電気、水道、ガス等のメータを収納するための計器箱の構造に関する。
【０００２】
【従来の技術】
従来、図５〜図７に示すように計器箱３１は、機器を収納する箱体３２と、箱体３２の前面開口部３３を施蓋する扉体３４とから成り、箱体３２は、背板３５の上端部に天板３６を、下端部に底板３７を、左右端部に側板３８を立設して夫々を溶接等により固着して一体形成されている。計器箱３１は一般に屋外に設置され、地面に固定されたチャンネルベース（図示せず）上に箱体３２の底板３７を載置して固定されている。また、箱体３２内側の背板３５の四隅近傍には支持板３９を固定するための固定部４０が設けられ、固定部４０はボルト４１が前面方向に向けて突設するように固定されている。支持板３９は固定部４０のボルト４１にナット４２により締め付け固定され、支持板３９上に電気や水道やガス等のメータ類が取り付けられる。メータ類への配管は箱体３２の底板３７の底面開口部４３から入出されている。これらの機器は支持板３９の決められた位置に取り付けられていた。
【０００３】
【発明が解決しようとする課題】
しかしながら、従来の計器箱３１は機器の取り付け位置が一定であるため、支持板３９の取り付け位置に合わせて機器の位置を調整しなければならず、非常に手間がかかっていた。また、体積が大きいので運搬がしづらいという欠点があった。また、支持板３９を固定するために固定部４０を設けなければならず、部品点数が多くなっていた。
【０００４】
【課題を解決するための手段】
上記従来の計器箱の問題点に鑑み、本発明の目的は、箱体を分割して容易に運搬や施工ができ、且つ、施工場所や機器形状に合わせた位置に機器を取り付けることができ、部品点数を削減することができる計器箱を提供するもので、その構造は、少なくとも背板の上下端部に天板と底板とを一体形成した断面略コ字状の本体の左右側面に側板を固着して形成した箱体と、箱体の前面を施蓋する扉体とから成る計器箱において、本体の左右両端縁に沿って本体内側方向に本体固定片を立設し、側板の全周に亘って折曲した折曲部の本体固定片と対向する端縁に側板固定片を立設し、本体側固定片と側面側固定片とを螺子により締め付け固定して本体を形成するとともに、本体固定片と側板固定片とに機器を取り付けるための支持部材が上下方向に取り付け位置を変更可能に複数の取付孔を穿設し、左右の固定片間に支持部材を配置して固定片の取付孔に螺子により締め付け固定し、側板の下端部を底板の高さ位置より下方に突出するように延設したことである。
【０００５】
【発明の実施の形態】
本発明によれば、少なくとも背板の上下端部に天板と底板とを一体形成した断面略コ字状の本体の左右側面に側板を固着して形成した箱体と、箱体の前面を施蓋する扉体とから成る計器箱において、本体の左右両端縁に沿って本体内側方向に本体固定片を立設し、側板の全周に亘って折曲した折曲部の本体固定片と対向する端縁に側板固定片を立設し、本体固定片と側面固定片とを螺子により締め付け固定して箱体を形成するとともに、本体固定片と側板固定片とに機器を取り付けるための支持部材が上下方向に取り付け位置を変更可能に複数の取付孔を穿設し、左右の固定片間に支持部材を配置して固定片の取付孔に螺子により締め付け固定し、側板の下端部を底板の高さ位置より下方に突出するように延設したことにより、施工場所や機器形状に合わせた位置に機器を取り付けることができ、部品点数を削減することができ、また、チャンネルベースを必要としない。
【０００６】
【実施例】
本発明に係る計器箱の一実施例を図１〜図４の添付図面に基づいて説明する。
【０００７】
計器箱１は、電気や水道やガス等のメータ類の機器を収納する箱体２と、箱体２の前面開口部３を施蓋する扉体４とで構成されている。箱体２は、背板５の上下端部に天板６と底板７とを立設して断面略コ字状に一体形成された本体８の左右側面に側板９を固着して形成されている。
【０００８】
箱体２の本体８は、左右両側縁に沿って本体８内側方向に本体固定片１０が立設されている。また、箱体２の側板９は、全周に亘って折曲部１１が折曲形成され、本体固定片１０と対向する折曲部１１の端縁に側板固定片１２が立設されている。本体８の本体固定片１０と側板９の側板固定片１２とを一致させて螺子１３により締め付け固定することにより箱体２は形成されている。本体２の天板６と底板７の前面側端部及び側板９の前面側端部は断面略コ字状に折曲されて水切り片１４が形成されている。
【０００９】
側板９の下端部は本体８の底板７の高さ位置より下方に突出するように延設されている。このため、側板９の底面側の折曲部１１を地面に固定することにより従来例のチャンネルベースを必要とすることなく、計器箱１を設置することができる。
【００１０】
箱体２の本体固定片１０と側板固定片１２には長孔形状の取付孔１５が適宜間隔をおいて多数穿設されている。左右の固定片１０，１２間には支持部材１６が長手方向を水平にして取付孔１５に取付螺子１７により締め付け固定されている。支持部材１６は箱体２に収納されるメータ類の機器の位置によって上下位置を合わせて固定片１０，１２の取付孔１５に固定する。ここで支持部材１６は細長形状に形成されているが、平板状のパネル等でも良い。
【００１１】
支持部材１６は機器の取付面に適宜間隔をおいて多数の長孔１８が穿設され、長孔１８に機器が固定螺子により締め付け固定されている。箱体２の底板７は底面開口部１９が形成され、この底面開口部１９から電気やガスのメータへの配管を挿通し、箱体２内部に引き込まれている。また水道のメータは計器箱１の略直下の地面に埋設され、箱体２の底板７の底面開口部１９や扉体４の下側の隙間からメータが視認できるようにされている。扉体４には通気口２０が設けられ、通気口２０と底板７の底面開口部１９により計器箱１内の換気を行っている。
【００１２】
尚、本実施例において、チャンネルベースを不要にするために側板９の高さ寸法を本体８の高さ寸法よりも大きくして、側板９の下端部を本体８の底板７の高さ位置より下方に突出させたが、側板９の高さ寸法を本体８の高さ寸法と略同一に形成して箱体２を形成し、チャンネルベースを使用して計器箱１を地面に設置しても何ら問題なく、本発明の趣旨を逸脱しない範囲で適宜変更可能である。
【００１３】
【発明の効果】
以上のように本発明に係る計器箱は少なくとも背板の上下端部に天板と底板とを一体形成した断面略コ字状の本体の左右側面に側板を固着して形成した箱体と、箱体の前面を施蓋する扉体とから成る計器箱において、本体の左右両端縁に沿って本体内側方向に本体固定片を立設し、側板の全周に亘って折曲した折曲部の本体固定片と対向する端縁に側板固定片を立設し、本体固定片と側面固定片とを螺子により締め付け固定して箱体を形成するとともに、本体固定片と側板固定片とに機器を取り付けるための支持部材が上下方向に取り付け位置を変更可能に複数の取付孔を穿設し、左右の固定片間に支持部材を配置して固定片の取付孔に螺子により締め付け固定し、側板の下端部を底板の高さ位置より下方に突出するように延設したことにより、箱体を分割して容易に運搬や施工ができ、且つ、施工場所や機器形状に合わせた位置に機器を取り付けることができ、部品点数を削減することができ、また、チャンネルベースを必要とせず、コストを低減することができるという優れた効果がある。
【図面の簡単な説明】
【図１】  本発明に係る計器箱を示す外観斜視図である。
【図２】  本発明に係る計器箱を示す分解斜視図である。
【図３】  本発明に係る計器箱の箱体を示す正面図である。
【図４】  本発明に係る計器箱を示す横断面図である。
【図５】  従来の計器箱を示す正面図である。
【図６】  従来の計器箱の箱体を示す正面図である。
【図７】  従来の計器箱を示す底面図である。
【符号の説明】
１      計器箱
２      箱体
５      背板
６      天板
７      底板
８      本体
９      側板
１０    本体固定片
１１    折曲部
１２    側板固定片
１３    螺子
１５    取付孔
１６    支持部材
１７    取付螺子
【図１】
0004662394.tif 000002
【図２】
0004662394.tif 000003
【図３】
0004662394.tif 000004
【図４】
0004662394.tif 000005
【図５】
0004662394.tif 000006
【図６】
0004662394.tif 000007
【図７】
0004662394.tif 000008